(57)【要約】【課題】衣類の吸着機能を備えたセット台に衣類の特定部位を、しっかりと確実に吸着できるよう形成し、専用機械を設置したり、セット台を改造することなく、簡便に、且つ低コストで衣類の特定部位を仕上げることができるようにする。【解決手段】本発明のカバー１は、衣類３を吸着可能なセット台２に使用するものであり、衣類３の特定部位３ａを配置する箇所１ａを、上面に形成する。そして、本発明は、この箇所１ａ以外の上面箇所１ｂの通気性を制限し、衣類３の特定部位３ａを配置する箇所１ａの通気性を最良に形成する。【選択図】      図１
2019041779.tif 000002
【特許請求の範囲】
【請求項１】
内部が排気されて衣類が吸着可能に形成されているセット台に使用するカバーであって、衣類の特定部位を配置する箇所が上面に形成され、この箇所以外の上面箇所の通気性が制限され、衣類の特定部位を配置する箇所の通気性が最良に形成されていることを特徴とする衣類のセット台用カバー。
【請求項２】
請求項１記載の衣類のセット台用カバーであって、衣類の特定部位を配置する箇所が、横長状の上面の長手方向の一方側に、上面の奥行きの全体にわたって形成されていることを特徴とする衣類のセット台用カバー。
【請求項３】
請求項２記載の衣類のセット台用カバーであって、衣類の特定部位を配置する箇所以外の上面箇所が、非通気性に形成されていることを特徴とする衣類のセット台用カバー。
【請求項４】
請求項２記載の衣類のセット台用カバーであって、衣類の特定部位を配置する箇所以外の上面箇所が、衣類の特定部位を配置する箇所に隣接する部分と、この隣接する部分に連なる残りの部分とに形成され、上記の隣接する部分が、衣類の特定部位を配置する箇所より通気性が劣る状態に形成され、上記の残りの部分が、非通気性に形成されていることを特徴とする衣類のセット台用カバー。
【請求項５】
請求項４記載の衣類のセット台用カバーであって、通気性の生地で上面が形成され、衣類の特定部位を配置する箇所以外の上面箇所の裏側が、上面の生地より通気性が劣る生地で覆われ、残りの部分の裏側が、この通気性が劣る生地を介して非通気性の面状材で覆われて形成されていることを特徴とする衣類のセット台用カバー。
【発明の詳細な説明】
【技術分野】
【０００１】
本発明は、衣類のセット台用カバーに関し、更に詳しくは内部が排気されて衣類が上面に吸着可能に形成されているセット台に使用するカバーに関するものである。
【背景技術】
【０００２】
従来、この種のセット台としては、例えばズボン仕上げ機の下鏝がある。この下鏝は、ズボンが位置ずれしないよう、内部が排気され、上面にズボンが吸着可能に形成されている。
この場合、下鏝は、ズボンをセット台の上面に、セット台の長手方向の全長にわたって同じ力で吸着するよう形成されている。
【０００３】
ところで、ズボンは、例えば裾の折り返し箇所など、厚みの違う部位がある。またズボン以外の衣類も、例えば上着のラペルのように、生地が重ねられている部位を有していることが多い。
【０００４】
従って、従来、この種の部位は、プレス圧が均等に加わり難かったから、一度のプレスでは、綺麗に仕上げることができないことがあった。
そのため従来は、クリーニングの際に、作業者は、このような部位だけをセット台に配置し、再仕上げすることがあった。
【０００５】
しかしながら、セット台は、従来、上記の通り、長手方向の上面の全体が同じ状態で、ズボン等を吸引する構造であった。
従って、この種の部位をセット台に配置すると、例えばズボンの脚は、腰周りの重みで、またラペルは、上着の肩や腕の重みでセット台から位置ずれし易く、その結果、従来は、セット台に、この種の部位を、しっかりと確実に吸着させることができない、という問題があった。
【０００６】
而して、このような問題を解決するため、この種の部位を仕上げるためだけの専用の機械を導入すると、クリーニング工場内のスペースを狭小化させ、設備コストの増加を招くことになる。
【０００７】
また特許文献１に記載されているように、セット台を改造して吸引力（吸着力）を大きくするのでは、セット台のコストが高くなり、ひいてはこの種のセット台を備えたズボン仕上げ機等の価格が高くなるのを避けられない。
【先行技術文献】
【特許文献】
【０００８】
【特許文献１】特開２００２−１１３２９９号公報
【発明の概要】
【発明が解決しようとする課題】
【０００９】
本発明は、このような従来の実情に鑑み、提案されたものである。
従って、本発明の解決しようとする技術的課題は、ズボン仕上げ機等の、衣類の吸着機能を備えたセット台を利用し、このセット台に衣類の特定部位を、しっかりと確実に吸着できるよう形成し、専用機械を設置したり、セット台を改造することなく、簡便に、且つ低コストで衣類の特定部位を仕上げることが可能になるよう形成した衣類のセット台用カバーを提供することにある。
【課題を解決するための手段】
【００１０】
本発明は、上記の課題を解決するため、次のような技術的手段を採る。
即ち、本発明は、図１等に示されるように、内部２ａが排気されて衣類３が吸着可能に形成されているセット台２に使用するカバー１であって、衣類３の特定部位３ａを配置する箇所１ａが上面に形成され、この箇所１ａ以外の上面箇所１ｂの通気性が制限され、衣類３の特定部位３ａを配置する箇所１ａの通気性が最良に形成されていることを特徴とする（請求項１）。
【００１１】
ここで、衣類３の特定部位３ａとしては、例えば上着のラペルやポケットの箇所、或いはズボンの裾の折り返し箇所などがある。本発明の場合、衣類３の特定部位３ａを配置する箇所１ａの形状、大きさ、位置等は、任意である。
【００１２】
而して、本発明は、図１等に示されるように、衣類３の特定部位３ａを配置する箇所１ａが、横長状の上面の長手方向の一方側に、上面の奥行きの全体にわたって形成されているのが好ましい（請求項２）。
【００１３】
セット台２は、その側方が開放されているため、これによると、衣類３の特定部位３ａとしてのラペル等をセットし易くなるからである。またこの場合は、衣類３の特定部位３ａを配置する箇所１ａが、上面の奥行きの全体にわたって形成され、その面積が大きいため、衣類３の特定部位３ａが大きい場合でも対応し易く、使い勝手が良くなるからである。
【００１４】
また本発明は、衣類３の特定部位３ａを配置する箇所１ａ以外の上面箇所１ｂが、非通気性に形成されているのが好ましい（請求項３）。
【００１５】
なぜなら、これによると、吸引力を衣類３の特定部位３ａを配置する箇所１ａに集中でき、大きな吸引力（吸着力）を得ることができるからである。この場合、非通気性は、例えば上面箇所１ｂを非通気性の面状材８で形成したり、上面箇所１ｂの裏側を非通気性の面状材８で覆ったり、或いは上面箇所１ｂを非通気質にコーティング処理することで実現される。
【００１６】
また本発明は、図１Ａ等に示されるように、衣類３の特定部位３ａを配置する箇所１ａ以外の上面箇所１ｂが、衣類３の特定部位３ａを配置する箇所１ａに隣接する部分１ｂ１と、この隣接する部分１ｂ１に連なる残りの部分１ｂ２とに形成され、上記の隣接する部分１ｂ１が、衣類３の特定部位３ａを配置する箇所１ａより通気性が劣る状態に形成され、上記の残りの部分１ｂ２が、非通気性に形成されているのが好ましい（請求項４）。
【００１７】
本発明のカバー１は、衣類３の特定部位３ａを配置する箇所１ａの面積を大きくすれば、衣類３の特定部位３ａが大きい場合でも対応し易くなる。しかし、このように形成すると、その分、衣類３の特定部位３ａを配置する箇所１ａの吸着力が弱められ、衣類３の特定部位３ａを、しっかりと確実に、セット台２に固定できなくなる。
【００１８】
而して、この請求項４記載の本発明のカバー１によれば、衣類３の特定部位３ａは、特定部位３ａを配置する箇所でしっかりと、また食み出る部分は隣接する部分１ｂ１で捲れや位置ずれを防止できる。従って、これによると、吸着力の低下を抑えながら、衣類３の特定部位３ａが大きい場合でも対応できる、という利点がある。
【００１９】
而して、この本発明のカバー１は、図３、図４に示されるように、通気性の生地６で上面が形成され、衣類３の特定部位３ａを配置する箇所１ａ以外の上面箇所１ｂの裏側が、上面の生地６より通気性が劣る生地７で覆われ、残りの部分１ｂ２の裏側が、この通気性が劣る生地７を介して非通気性の面状材８で覆われて形成されているのが好ましい（請求項５）。
【００２０】
なぜなら、これによると、カバー１の上面から、衣類３の特定部位３ａを配置する箇所１ａ、隣接する部分１ｂ１、残りの部分１ｂ２を区画する縫い目等の境界線を一掃でき、カバー１の体裁を良くできるからである。
またこれによると、通気性の生地６の裏側に、この生地６より通気性が劣る生地７と、非通気性の面状材８を重ね合わせ、周囲を縫い付けることで、簡単、迅速、低コストで本発明のカバー１を製造できるからである。
更にこの場合は、生地７の種類を適宜選定するだけで、隣接する部分１ｂ１の通気性を、簡単、容易に、且つ低コストで調節できるからである。
【００２１】
なお、本発明の場合、生地６、７は織られているものには限られず、不織布でも良い。また非通気性の面状材８としては、例えば樹脂シート等がある。
【発明の効果】
【００２２】
本発明は、このように形成されているから、衣類の特定部位を配置する箇所の吸引力（吸着力）を大きくすることができる。
従って、この箇所に、例えば上着のラペル等の特定部位を配置すれば、上着の肩部分等の重さの影響を受けることなく、セット台にしっかりと確実にラペル等を固定でき、その結果、上鏝や手持ちアイロンで、ラペル等を楽に且つ綺麗に仕上げることができる。
【００２３】
また本発明は、専用の機械を設置したり、セット台を改造することなく、ラペル等の仕上げが可能になる。
従って、これによれば、簡単、低コストで、衣類の特定部位を仕上げることができる。
【図面の簡単な説明】
【００２４】
【図１】本発明のカバーの好適な一実施形態を示し、Ａは平面図、Ｂは底面図、Ｃはセット台を示す要部正面図である。
【図２】ズボン仕上げ機の斜視図である。
【図３】Ａは同上カバーの平面図、ＢはＡのＢ―Ｂ線の要部断面図である。
【図４】Ａは同上カバーの底面図、ＢはＡのＢ―Ｂ線の要部断面図である。
【図５】同上カバーの他の実施形態を示し、Ａは平面図、ＢはＡのＢ―Ｂ線の要部断面図である。
【図６】Ａは図５のカバーの底面図、ＢはＡのＢ―Ｂ線の要部断面図である。
【図７】同上カバーの更に他の実施形態を示し、Ａは平面図、ＢはＡのＢ―Ｂ線の要部断面図である。
【図８】Ａは図７のカバーの底面図、ＢはＡのＢ―Ｂ線の要部断面図である。
【発明を実施するための形態】
【００２５】
以下、本発明の好適な一実施形態を、添付図面に従って説明する。
本発明のカバー１は、図１等に示されるように、内部２ａが排気されて衣類３が吸着可能に形成されているセット台２に被せて使用するものである。
【００２６】
この実施形態の場合、セット台２は、図２に示されるように、ズボン仕上げ機４の横長状の下鏝である。ズボン仕上げ機４は、セット台２としての下鏝を押圧する上鏝５を備えて形成されている。
【００２７】
また本発明のカバー１は、衣類３の特定部位３ａを配置する箇所１ａが、上面に形成されている。この実施形態の場合、衣類３は背広の上着であり、衣類３の特定部位３ａは、ラペルである。
【００２８】
衣類３の特定部位３ａを配置する箇所１ａは、この実施形態では、図１Ａ等に示されるように、横長状の上面の長手方向の一方側に、上面の奥行きの全体にわたって形成されている。
【００２９】
また本発明のカバー１は、衣類３の特定部位３ａを配置する箇所１ａ以外の上面箇所１ｂ（図１Ａ等参照）は、通気性が制限され、衣類３の特定部位３ａを配置する箇所１ａの通気性が最良に形成されている。
【００３０】
上記の上面箇所１ｂは、具体的には、図１Ａ、図３Ａ等に示されるように、衣類３の特定部位３ａを配置する箇所１ａに隣接する部分１ｂ１と、この隣接する部分１ｂ１に連なる残りの部分１ｂ２とで形成されている。そして、本発明のカバー１は、上記の隣接する部分１ｂ１が、衣類３の特定部位３ａを配置する箇所１ａより通気性が劣る状態に形成され、上記の残りの部分１ｂ２が、非通気性に形成されている。
【００３１】
具体的には、図３Ｂ等に示されるように、カバー１の横長状の上面が、通気性の生地６で形成されている。そして、上記の隣接する部分１ｂ１の裏側が、上面の生地６より通気性が劣る生地７で覆われている。この生地７は、上記の残りの部分１ｂ２の裏側まで覆うことができるよう長く形成されている。
【００３２】
また上記の残りの部分１ｂ２の裏側は、通気性が劣る生地７を介して非通気性の面状材８で覆われている。通気性の生地６と、これより通気性が劣る生地７と、残りの部分１ｂ２を覆う非通気性の面状材８は重ね合わされ、周囲が縫い合わされている。
【００３３】
本発明のカバー１は、セット台２の側面と共に、セット台２の下側を覆う周辺部分１ｃ（図１Ｂ、図４Ａ等参照）に、間隔をあけて、セット台２への固定用の帯紐９が設けられている。この帯紐９は、伸縮性を有し、裏面９ａが雌型の面状ファスナーで形成されている。
【００３４】
１０（図１Ｂ等参照）は、雄型の面状ファスナーである。この雄型の面状ファスナー１０は、帯紐９の開放端と対応する周辺部分１ｃの位置に設けられている。カバー１は、上記の雌型の面状ファスナーが、雄型の面状ファスナー１０に鉤着されることにより、上記のセット台２に緊張状に被せられるものである。
【００３５】
なお、図１Ｂ、図４Ａに示されるように、周辺部分１ｃは、長手方向の他方側において開放されている。そして、この開放部分が雌雄一対の面状ファスナー１１で連結可能に形成されている。
【００３６】
次に本発明の作用を説明する。
先ず、作業者は、図１Ａ、図２等に示されるように、衣類３の特定部位３ａとしてのラペルを、衣類３の特定部位３ａを配置する箇所１ａに、拡げて配置する。この場合、作業者は、左右一対のラペルを一度でプレス仕上げできるよう、左右のラペルを一緒に拡げてセットするのが良い。
【００３７】
ラペルは、サイズが大きいと、隣接する部分１ｂ１に食み出て配置される。また上着の前身頃や裾は、隣接する部分１ｂ１や残りの部分１ｂ２に配置される。
【００３８】
而して、この実施形態の本発明のカバー１は、衣類３の特定部位３ａを配置する箇所１ａの通気性が最も良く、隣接する部分１ｂ１も多少の通気性を備え、残りの部分１ｂ２は、非通気性に形成されている。
【００３９】
従って、本発明のカバー１によると、ラペルは、衣類３の特定部位３ａを配置する箇所１ａで強くしっかりと吸着され、隣接する部分１ｂ１に食み出る箇所も弱くではあるが吸着され、捲れなどが防止される。作業者は、この状態で上鏝５を下ろし、或いは手持ちアイロンをかけてラペルを仕上げる。
【００４０】
以上の処において、本発明のカバー１の構造は、上例には限られない。即ち、本発明は、例えば衣類３の特定部位３ａを配置する箇所１ａ以外の上面箇所１ｂの全体が、非通気性に形成されているのでも良い。
【００４１】
また本発明のカバー１は、上例のように、上面箇所１ｂが、吸着力の弱い部分と非通気性の部分とに形成される場合でも、その実現の仕方は、上例に限定されるものではない。
【００４２】
即ち、本発明のカバー１は、図５、図６に示されるように、上面の全体が通気性の生地６で形成され、上記の隣接する部分１ｂ１の裏側に、通気性が劣る生地７が重ね合わされて縫い付けられ、残りの部分１ｂ２の裏側に、非通気性の面状材８が重ね合わされて縫い付けられているのでも良い。
【００４３】
また本発明のカバー１は、図７、図８に示されるように、隣接する部分１ｂ１の裏側に、通気性が劣る生地７が生地６に重ね合わされて縫い付けられ、残りの部分１ｂ２が非通気性の面状材８で形成されているのでも良い。
【００４４】
なお、本発明のカバー１は、衣類３の特定部位３ａを配置する箇所１ａが、この部分以外の上面箇所１ｂと明確に区別が付くよう、例えば着色されたり、或いは柄が付されているのでも良い。この場合は、不慣れな作業者でも衣類３の特定部位３ａを配置する箇所１ａを、楽に且つ明確に、判別、特定でき、その分、使い勝手が良くなる、という利点がある。
【符号の説明】
【００４５】
１      カバー
１ａ    衣類の特定部位を配置する箇所
１ｂ    衣類の特定部位を配置する箇所以外の上面箇所
１ｂ１  衣類の特定部位を配置する箇所に隣接する部分
１ｂ２  隣接する部分に連なる残りの部分
１ｃ    周辺部分
２      セット台
２ａ    内部
３      衣類
３ａ    特定部位
６      通気性の生地
７      通気性が劣る生地
８      非通気性の面状材
【図１】
2019041779.tif 000003
【図２】
2019041779.tif 000004
【図３】
2019041779.tif 000005
【図４】
2019041779.tif 000006
【図５】
2019041779.tif 000007
【図６】
2019041779.tif 000008
【図７】
2019041779.tif 000009
【図８】
2019041779.tif 000010